(57)【要約】      （修正有）【課題】簡易なシステムに有益な通話試験機能を備えた集合住宅用インターホンシステムを提供する。【解決手段】親型インターホン１は、通話試験の対象とする住戸を選択する操作部と、選択された住戸の住戸インターホン２に対して、所定の試験指令信号と試験用の音声信号とを送信させる一方、住戸インターホン２から試験指令信号に対応した応答信号を受信すると、該応答信号に含まれている試験結果を表示させる制御部とを備えており、住戸インターホン２は、試験指令信号を受信すると、試験用の音声信号の再生レベルを試験し、その試験結果を応答信号に含ませて返信させる試験回路部を備えている。【選択図】図１
2009159003.tif 000002
【特許請求の範囲】
【請求項１】
集合住宅の各住戸に設置された住戸インターホンと、管理人室や共同玄関に設置され、指定した住戸の住戸インターホンと通話する機能を有した親型インターホンとで構成されたインターホンシステムにおいて、
前記親型インターホンは、
通話試験の対象とする住戸を選択する操作部と、
選択された住戸の住戸インターホンに対して、所定の試験指令信号と試験用の音声信号とを送信させる一方、前記住戸インターホンから前記試験指令信号に対応した応答信号を受信して試験結果を表示させる制御部とを備えており、
前記住戸インターホンは、
前記試験指令信号を受信すると、前記試験用の音声信号を再生してそのレベルを所定基準と比較する試験を行い、更に、その試験結果を前記応答信号に含ませて返信させる試験回路部を備えている集合住宅用インターホンシステム。
【請求項２】
請求項１において、
前記親型インターホンは、
通話のために選択した住戸の番号を表示する表示部を更に備え、
前記制御部は、前記試験結果を前記表示部に表示する集合住宅用インターホンシステム。
【発明の詳細な説明】
【技術分野】
【０００１】
本発明は、マンション等の集合住宅に設置される集合住宅用インターホンシステムに関する。
【背景技術】
【０００２】
集合住宅用インターホンシステムの施工では、各住戸に設置した住戸インターホンと管理人室あるいは玄関ロビーに設置した親型インターホンとを制御信号線、音声信号線で相互に接続する工事を行うが、配線が正しくなされているか、また通話が正常にできるか等の確認は、親型インターホンと住戸インターホンとの間で通話を実際に行うことで試験するので、親型インターホン側と住戸インターホン側との両方に作業者が必要となり、時間がかかる非常に面倒な作業となっていた。
【０００３】
このような作業を簡略化するため、以下の特許文献１には、居室外において映像信号等の信号レベルを検出することができる集合住宅用インターホンシステムが開示されている。この文献のインターホンシステムは、集合玄関機および複数の居室親機を制御する制御装置を備えており、居室親機は、映像信号レベルあるいは通話信号レベルを検出し、検出したレベルを制御装置へ送信する機能を備え、制御装置には送信されてきたレベルを集計するレベル集計装置が接続されている。
【特許文献１】特開2006-279789公報
【発明の開示】
【発明が解決しようとする課題】
【０００４】
しかしながら、特許文献１の集合住宅用インターホンシステムは、制御装置を有し、集合玄関機と複数の居室親機との間で映像信号と音声信号を伝送する大掛かりなもので、複数の居室親機での映像信号レベルを一括表示するレベル表示部を備えたレベル集計装置も必要とされるので高価格とならざるを得ない。
そこで本発明は、そのような低価格な集合住宅用インターホンシステムに好適に適用可能な、親型インターホンと住戸インターホンとの間で通話試験を行う技術の提供を目的としている。
【課題を解決するための手段】
【０００５】
本発明は、集合住宅の各住戸に設置された住戸インターホンと、管理人室や共同玄関に設置され、指定した住戸の住戸インターホンと通話する機能を有した親型インターホンとで構成されたインターホンシステムであり、前記親型インターホンは、通話試験の対象とする住戸を選択する操作部と、選択された住戸の住戸インターホンに対して、所定の試験指令信号と試験用の音声信号とを送信させる一方、前記住戸インターホンから前記試験指令信号に対応した応答信号を受信して試験結果を表示させる制御部とを備えており、前記住戸インターホンは、前記試験指令信号を受信すると、前記試験用の音声信号を再生してそのレベルを所定基準と比較する試験を行い、更に、その試験結果を前記応答信号に含ませて返信させる試験回路部を備えている。すなわち、本発明は、制御装置やレベル集計装置を用いず、親型インターホンに通話試験を制御する機能を持たせた構成としている。
【０００６】
また、前記親型インターホンは、通話のために選択した住戸の番号を表示する表示部を更に備え、前記制御部は、前記試験結果を前記表示部に表示す構成としてもよい。
【発明の効果】
【０００７】
本発明では、親型インターホンにおいて、通話試験の対象とする住戸を選択し、選択した住戸のインターホンの通話試験を制御してその試験結果を表示する構成としたので、特許文献１に記載されているようなレベル集積装置等を別途設ける必要がない。従って、親型インターホンと住戸インターホンとの間で通話試験を行う技術が低価格で実現できる。
【０００８】
また、通話のために選択した住戸の番号を表示する表示部に、通話試験の結果を表示する構成では、試験結果を表示するための表示部を別途設ける必要がないので、親型インターホンが小型化され、製造コストも抑えられる。
【発明を実施するための最良の形態】
【０００９】
以下、本発明の望ましい実施例を図に従って説明する。
【実施例１】
【００１０】
図１は、本発明による集合住宅用インターホンシステムの概略構成を説明する系統図、図２は管理人室親型インターホンの概略構成を説明するブロック図、図３は住戸インターホンの概略構成を説明するブロック図、図４はロビー親型インターホンの概略構成を説明するブロック図である。
【００１１】
このインターホンシステムは集合住宅の管理人室に設置された管理人室親型インターホン１と、各住戸に設置され、ドアホン子器４を有した住戸インターホン２と、共同玄関に設置されたロビー親型インターホン３とで構成されている。住戸インターホン２およびロビー親型インターホン３は、制御信号線および音声信号線によって、管理人室親型インターホン１に接続されている。制御信号線は、相手機のアドレスを付加した各種指令信号、応答信号を伝送し、音声信号線は通話の音声信号を伝送する。管理人室親型インターホン１は警報監視盤として構成されており、住戸インターホン２には火災感知器、ガス感知器等、住戸の異常を監視する感知器５が接続されている。
【００１２】
インターホンシステムは、基本的な機能として、管理人室親型インターホン１あるいはロビー親型インターホン３において通話相手となる住戸の住戸インターホン２指定して所定の発信操作を行うと、対応した住戸インターホン２を呼び出して通話路を形成し通話を行わせる通話機能と、管理人室親型インターホン１が、各住戸インターホン１から送信されてくる異常信号を監視して、異常発生と判断した場合には、当該住戸および近隣住戸の住戸インターホン２に警報音声信号を送信して、それらの住戸インターホン２から警報音声を出力させる警報監視機能とを有している。
【００１３】
管理人室親型インターホン１は、ハンドセットで構成された通話部１１と、住戸インターホン２あるいはロビー親型インターホン３と音声信号を送受信する通話回路部１４と、警報音声等を合成する音声合成部１９と、テンキー等で構成された操作部１２と、住戸の番号を表示する表示部１３と、住戸インターホン２に各種指令信号を送信する一方、対応した応答信号を受信する通信回路部１５と、住戸インターホン２から送信されてくる異常信号を監視する監視回路部１７と、これらの各部を制御する制御部１６とを備えている。
【００１４】
また、本発明の特徴として、管理人室親型インターホン１は、住戸インターホン２を選択して通話状態を試験する機能を備えている。この通話試験の際には、操作部１２は試験の対象とする住戸を選択するために使用される。このとき、制御部１６は、所定の操作に応じて通信回路部１５および通話回路部１４を作動させ、選択された住戸の住戸インターホン２に対して、所定の試験指令信号と試験用の音声信号とを送信させる一方、住戸インターホン２から試験指令信号に対応した応答信号を受信すると、その応答信号に含まれている試験結果を表示部１３に表示させる。試験用の音声信号は、試験者の声を通話部１１で集音して使用してもよいし、音声合成部１９に予め準備しておいた試験用の音声データを使用してもよい。
【００１５】
住戸インターホン２は、スピーカとマイクとで構成されたハンズフリーの通話部２１と、管理人室親型インターホン１、ロビー親型インターホン３、あるいはドアホン子器と音声信号を送受信する通話回路部２４と、各種操作キーで構成された操作部２２と、ＬＥＤ等で構成された表示部２３と、管理人室親型インターホン１から送信されてきた各種指令信号を受信する一方、対応した応答信号を返信する通信回路部２５と、接続された感知器５を駆動する感知器駆動部２８と、通話試験を実行する試験回路部２７と、ドアホン子器制御部２９と、これらの各部を制御する制御部２６とを備えている。
【００１６】
試験回路部２７は、通信回路部２５が管理人室親型インターホン１から送信されてきた試験指令信号を受信すると、通話回路部２４を作動させて管理人室親型インターホン１から送信されてきた試験用の音声信号を再生し、その再生レベルを所定基準と比較する試験を行い、その試験結果を応答信号に含ませ通信回路部２４によって返信させる。
【００１７】
ロビー親型インターホン３は、スピーカとマイクとで構成されたハンズフリーの通話部３１と、住戸インターホン２あるいは管理人室親型インターホン１と音声信号を送受信する通話回路部３４と、テンキー等で構成された操作部３２と、住戸の番号を表示する表示部３３と、住戸インターホン２に各種指令信号を送信する一方、対応した応答信号を受信する通信回路部３５と、これらの各部を制御する制御部３６とを備えている。ロビー親型インターホン３は、通話試験に関して、管理人室親型インターホン１と同等の機能を有する。
【００１８】
図５は、管理人室親型インターホンによる通話試験における基本手順を説明するフローチャートである。
この基本手順では、最初に、試験者が例えば、例えば試験モードキーを操作する等によって管理人室親型インターホン１を通話試験モードにする（ステップ１０１）
次いで、操作部１２のテンキーの操作によって試験対象とする住戸を選択してから、例えば呼出キーを操作すれば、選択された住戸の住戸インターホン２に試験指令信号を送信する（ステップ１０２、１０３）。そして、試験者が管理人室親型インターホン１の通話手段に向かって例えば「アー、アー。テスト、テスト」等の音声を発すれば、それを試験用の音声信号として住戸の住戸インターホン２に送信する（ステップ１０４）。
住戸インターホン２はその試験指令信号を受信すると、試験回路部２７を作動させて試験用の音声信号を再生しそのレベルを所定基準と比較する試験を行い、その試験結果を応答信号に含ませて管理人室親型インターホン１に返信する（ステップ１０５、１０６）。
管理人室親型インターホン１は、その応答信号を受信すると、その応答信号に含まれている試験結果を表示部１３に表示する（ステップ１０７）。
その後、試験者が試験モードキーを再度操作すれば、管理人室親型インターホン１は通話試験モードを終了するが、別の住戸を選択すれば、上記通話試験の手順が繰り返される（ステップ１０８、１０９）。
なお、この基本手順はロビー親型インターホン３の場合も同様である。
【００１９】
図６は、住戸インターホン２における試験用の音声信号の再生レベルと試験結果との関係を説明するグラフである。このグラフにおいて、縦軸は再生レベルの測定値、横軸は試験結果を示している。判定基準のレベル０は、試験用の音声信号が断線、故障等によって再生されないこと（通話不能）を示し、レベル１〜レベル３は再生レベルの測定値の小〜大に対応している。住戸インターホン２は、このレベル０〜レベル３のいずれかを試験結果として応答信号に含ませて送信する。なお、測定値をデジタル値の試験結果として返信する構成としてもよく、その場合には、管理人室親型インターホン１あるいはロビー親型インターホン３において、レベル０〜レベル３の判定を行う。
【００２０】
図７（ａ）〜図７（ｃ）は、通話試験を行う際の管理人室親型インターホンの表示部における表示内容を、住戸の選択、通話試験中、試験結果の表示のそれぞれについて例示した概略正面図、図７（ｄ）は試験結果の表示パターンの図である。表示部１３は、７セグメントによって数字を表示する表示器を４つ連ねた構成で、４桁の数を表示することができる。なお、正面パネルに設けられている送りキーは、住戸を順送りに選択するためのキーである。
住戸の選択時には、表示部１３は、選択した住戸の番号を表示する。そして通話試験の実行時には、試験中を示すバー記号を点滅表示し、試験結果の表示時には、レベル０〜レベル３を、数「０」の個数に対応させて表示する。
【００２１】
このように、本発明では、通話のために選択した住戸の番号を表示する表示部１３を、通話試験の試験結果の表示部と兼用させているので、管理人室親型インターホン１が小型化できる。また、表示部１３を７セグメントの安価な表示器によって構成できるので製造コストも抑えられる。
なお、ここで試験結果がレベル０の場合は、制御信号線、音声信号線を点検、修理する必要がある。また、レベル１つまり再生レベルが低い場合には、管理人室親型インターホン１、あるいは住戸インターホン２のどちらか、あるいは両方で自動的に調整するようにしてもよい。また、管理人室親型インターホン１に調整つまみ等を設け、その操作に応じて住戸インターホン２に利得調整指令を送信することでリモート調整するようにしてもよい。
【００２２】
図８（ａ）〜図８（ｃ）は、通話試験を行う際のロビー親型インターホンの表示部における表示内容を、住戸の選択、通話試験中、試験結果の表示のそれぞれについて例示した概略正面図であるが、それらの表示内容は、管理人室親型インターホン１と同様である。なお、ロビー親型インターホン３を通話試験モードにするために操作する試験モードキーは、来訪者による誤操作を防止するため、例えば底面等の目立たず操作しにくい場所に設けることが望ましい。
【図面の簡単な説明】
【００２３】
【図１】本発明による集合住宅用インターホンシステムの概略構成を説明する系統図である。
【図２】管理人室親型インターホンの概略構成を説明するブロック図である。
【図３】住戸インターホンの概略構成を説明するブロック図である。
【図４】ロビー親型インターホンの概略構成を説明するブロック図である。
【図５】管理人室親型インターホンによる通話試験における基本手順を説明するフローチャートである。
【図６】住戸インターホンにおける試験用の音声信号の再生レベルと試験結果との関係を説明するグラフである。
【図７】（ａ）〜（ｃ）は、管理人室親型インターホンの表示部における表示内容を、住戸の選択、通話試験中、試験結果の表示のそれぞれについて例示した概略正面図、（ｄ）は、試験結果の表示パターンの図である。
【図８】（ａ）〜（ｃ）は、通話試験を行う際のロビー親型インターホンの表示部における表示内容を、住戸の選択、通話試験中、試験結果の表示のそれぞれについて例示した概略正面図である。
【符号の説明】
【００２４】
１    管理人室親型インターホン
２    住戸インターホン
３    ロビー親型インターホン
１２  操作部
１６  制御部
２７  試験回路部
【図１】
2009159003.tif 000003
【図２】
2009159003.tif 000004
【図３】
2009159003.tif 000005
【図４】
2009159003.tif 000006
【図５】
2009159003.tif 000007
【図６】
2009159003.tif 000008
【図７】
2009159003.tif 000009
【図８】
2009159003.tif 000010